(57)【特許請求の範囲】
【請求項１】
ネットワークを介しての操作と、本体操作部による操作とが可能な電気機器において、
ネットワークを介しての操作および本体操作部の操作の両方を行いうるユーザならびに両方の操作を行えないユーザを少なくとも含む各デフォルトユーザについてユーザ名、パスワードおよび権限レベルからなるデフォルトユーザ情報が予め設定されており、その設定内容を保持している記憶手段、
各デフォルトユーザが電気機器に対してネットワークを介して操作を行う際には、そのユーザ名およびパスワードを入力させて、入力されたパスワードが正しいか否かを判別し、入力されたパスワードが正しい場合にのみ、入力されたユーザ名に対応するデフォルトユーザ情報に含まれている権限レベル内での操作を可能とさせる手段、
各デフォルトユーザが電気機器に対して本体操作部を用いて操作を行う際には、そのユーザ名およびパスワードを入力させて、入力されたパスワードが正しいか否かを判別し、入力されたパスワードが正しい場合にのみ、現行ユーザ情報を入力されたユーザ名に対応するデフォルトユーザ情報に設定するといった現行ユーザ情報設定処理を行う手段、
現行ユーザ情報として設定されたデフォルトユーザ情報に含まれている権限レベル内での本体操作部の操作を可能にさせる手段、
本体操作部からのキー入力が無い状態が所定時間以上継続しているときには、現行ユーザ情報を両方の操作を行えないデフォルトユーザに対応するデフォルトユーザ情報に設定する設定手段、
本体操作部からキー入力があったときには、現行ユーザ情報に含まれている権限レベル内のキー入力であるかを判別する判別手段、
判別手段によって、現行ユーザ情報に含まれている権限レベル内のキー入力であると判別されたときには、当該キー入力に応じた処理を実行させる手段、
判別手段によって現行ユーザ情報に含まれている権限レベル内のキー入力でないと判別されたときには、現行ユーザ情報設定処理に移行させる手段、
現行ユーザ情報を両方の操作を行えないデフォルトユーザに対応するデフォルトユーザ情報に設定させるための特定キー、ならびに
特定キー操作によるキー入力があったときに、現行ユーザ情報を両方の操作を行えないデフォルトユーザに対応するデフォルトユーザ情報に設定する手段、
を備えていることを特徴とする電気機器。
【請求項２】
１日の時間帯が複数の時間帯に分けられており、記憶手段には、各分割時間帯毎に、その分割時間帯に応じて決定された権限レベルが設定されているデフォルトユーザ情報が更に登録されており、
本体操作部からのキー入力が無い状態が所定時間以上継続しているときには、現在の時刻が上記各分割時間帯のうちのいずれの分割時間帯に属するかを判別し、判別した分割時間帯に対応したデフォルトユーザ情報に現行ユーザ情報を設定する手段、
を備えていることを特徴とする請求項１に記載の電気機器。
【請求項３】
現行ユーザ情報をデフォルトユーザ情報に設定させるための特定キー、および
特定キー操作によるキー入力があったときには、現在の時刻が上記各分割時間帯のうちのいずれの分割時間帯に属するかを判別し、判別した分割時間帯に対応したデフォルトユーザ情報に現行ユーザ情報を設定する手段、
を備えていることを特徴とする請求項２に記載の電気機器。
【請求項４】
１日の時間帯が複数の時間帯に分けられており、記憶手段には、各分割時間帯毎に、その分割時間帯に応じて決定された権限レベルが設定されているデフォルトユーザ情報が更に登録されており、
現行ユーザ情報をデフォルトユーザ情報に設定させるための特定キー、
特定キー操作によるキー入力があったときには、現在の時刻が上記各分割時間帯のうちのいずれの分割時間帯に属するかを判別し、判別した分割時間帯に対応したデフォルトユーザ情報に現行ユーザ情報を設定する手段、
を備えていることを特徴とする請求項１に記載の電気機器。
【発明の詳細な説明】
【技術分野】  この発明は、インターネット等のネットワークを介しての遠隔操作と、本体操作部による操作とが可能な電気機器に関する。
【背景技術】  例えば、監視用の記録再生装置として、ネットワークを介してＰＣからの遠隔操作が可能であるとともに、記録再生装置に設けられた本体操作部からの操作が可能であるものがある。
ＰＣを用いて記録再生装置を遠隔操作するユーザには、ユーザ名、パスワードおよび権限レベルが予め与えられている。権限レベルとしては、たとえば、次のような４つのレベルが用意されている。各ユーザに与えられているユーザ名、パスワードおよび権限レベルからなる情報（ユーザ情報）は、記録再生装置に登録されている。
レベル１（最上位）：記録操作，再生操作
レベル２          ：再生操作，モニタリング操作（入力画像を見るだけ）
レベル３          ：モニタリング操作（入力画像を見るだけ）
レベル４（最下位）：操作不可
各ユーザが、ＰＣを用いて記録再生装置を遠隔操作するにあたっては、記録再生装置はユーザ名とパスワードを確認した後に、権限レベル内での操作を許容していた。
なお、従来においては、記録再生装置に設けられた本体操作部を操作するユーザに対しては、ＰＣを用いて記録再生装置を遠隔操作する場合とは別の単一のキーロック解除用のパスワードを用いて、キーロックを解除させるようにしていた。
上記従来のシステムにおいては、あるユーザが本体操作部を操作する場合とＰＣを用いて遠隔操作を行う場合とでは、入力するパスワードが異なるため、不便であった。また、キーロックを１つのキーロック解除用パスワードを用いて解除しているため、本体操作部を操作するユーザが複数存在する場合には、キーロック解除用パスワードをその全員が覚えている必要があるとともに、特定の人がキーロック解除用パスワードを変更した場合、本体操作部を操作する他のユーザに対して変更後のキーロック解除用パスワードを通知する必要がある。
【発明の開示】
この発明は、あるユーザが本体操作部を操作する場合とＰＣを用いて遠隔操作を行う場合とで、入力するパスワードが同じとなり、操作が簡単となる電気機器を提供することを目的とする。
また、この発明は、あるユーザ情報が現行ユーザ情報（本体操作部を用いて現在操作を行なっていると想定されるユーザのユーザ情報）として設定されている状態において、現行ユーザ情報内の権限レベルより高い権限レベルが与えられているユーザが、本体操作部に対して現行ユーザ情報内の権限レベルより高い操作を行った際に、当該ユーザがそのユーザ情報を現行ユーザ情報として設定し易くなる電気機器を提供することを目的とする。
また、この発明は、本体操作部が一定時間以上操作されなかったときに、現行ユーザ情報を所定の権限レベルが与えられている仮想的なデフォルトユーザのユーザ情報に自動的に設定することができる電気機器を提供することを目的とする。
また、この発明は、特定キー操作によるキー入力があったときに、現行ユーザ情報を所定の権限レベルが与えられている仮想的なデフォルトユーザのユーザ情報に自動的に設定することができる電気機器を提供することを目的とする。
また、この発明は、本体操作部が一定時間以上操作されなかったときには、現行ユーザ情報を、時間帯に応じた権限レベルが与えられている仮想的なデフォルトユーザのユーザ情報に自動的に設定することができる電気機器を提供することを目的とする。
また、この発明は、特定キー操作によるキー入力があったときに、現行ユーザ情報を、時間帯に応じた権限レベルが与えられている仮想的なデフォルトユーザのユーザ情報に自動的に設定することができる電気機器を提供することを目的とする。
この発明による電気機器は、ネットワークを介しての遠隔操作と、本体操作部による操作とが可能な電気機器において、遠隔操作を行いうるユーザ、本体操作部の操作を行いうるユーザならびに遠隔操作および本体操作部の操作の両方を行いうるユーザを含む各ユーザについてユーザ名、パスワードおよび権限レベルからなるユーザ情報が予め設定されており、その設定内容を保持している記憶手段、各ユーザが電気機器に対してネットワークを介して遠隔操作を行う際には、そのユーザ名およびパスワードを入力させて、入力されたパスワードが正しいか否かを判別し、入力されたパスワードが正しい場合にのみ、入力されたユーザ名に対応するユーザ情報に含まれている権限レベル内での遠隔操作を可能とさせる手段、現行ユーザ情報を本体操作部を用いて現在操作を行なっていると想定されるユーザのユーザ情報と定義し、各ユーザが電気機器に対して本体操作部を用いて操作を行う際には、そのユーザ名およびパスワードを入力させて、入力されたパスワードが正しいか否かを判別し、入力されたパスワードが正しい場合にのみ、現行ユーザ情報を入力されたユーザ名に対応するユーザ情報に設定するといった現行ユーザ情報設定処理を行う手段、ならびに現行ユーザ情報として設定されたユーザ情報に含まれている権限レベル内での本体操作部の操作を可能にさせる手段を備えていることを特徴とする。
上記記憶手段に権限レベルが所定のレベルに設定されたデフォルトユーザ情報が登録されている場合において、上記電気機器は、電気機器の本体操作部からのキー入力が無い状態が所定時間以上継続しているときには、現行ユーザ情報をデフォルトユーザ情報に設定する手段、電気機器の本体操作部からキー入力があったときには、現行ユーザ情報に含まれている権限レベル内のキー入力であるか否かを判別する判別手段、判別手段によって、現行ユーザ情報に含まれている権限レベル内のキー入力であると判別されたときには、当該キー入力に応じた処理を実行させる手段、ならびに判別手段によって、現行ユーザ情報に含まれている権限レベル内のキー入力でないと判別されたときには、現行ユーザ情報設定処理に移行させる手段を備えていることが好ましい。
上記電気機器は、現行ユーザ情報をデフォルトユーザ情報に設定させるための特定キー、および特定キー操作によるキー入力があったときに、現行ユーザ情報をデフォルトユーザ情報に設定する手段を備えていることが好ましい。
上記記憶手段に権限レベルが所定のレベルに設定されたデフォルトユーザ情報が登録されている場合において、上記電気機器は、現行ユーザ情報をデフォルトユーザ情報に設定させるための特定キー、特定キー操作によるキー入力があったときに、現行ユーザ情報をデフォルトユーザ情報に設定する手段、電気機器の本体操作部からキー入力があったときには、現行ユーザ情報に含まれている権限レベル内のキー入力であるか否かを判別する判別手段、判別手段によって、現行ユーザ情報に含まれている権限レベル内のキー入力であると判別されたときには、当該キー入力に応じた処理を実行させる手段、ならびに判別手段によって、現行ユーザ情報に含まれている権限レベル内のキー入力でないと判別されたときには、現行ユーザ情報設定処理に移行させる手段を備えていることが好ましい。
１日の時間帯が複数の時間帯に分けられており、記憶手段には、各分割時間帯毎に、その分割時間帯に応じて決定された権限レベルが設定されているデフォルトユーザ情報が登録されている場合において、上記電気機器は、電気機器の本体操作部からのキー入力が無い状態が所定時間以上継続しているときには、現在の時刻が上記各分割時間帯のうちのいずれの分割時間帯に属するかを判別し、判別した分割時間帯に対応したデフォルトユーザ情報に現行ユーザ情報を設定する手段、電気機器の本体操作部からキー入力があったときには、現行ユーザ情報に含まれている権限レベル内のキー入力であるか否かを判別する判別手段、判別手段によって、現行ユーザ情報に含まれている権限レベル内のキー入力であると判別されたときには、当該キー入力に応じた処理を実行させる手段、ならびに判別手段によって、現行ユーザ情報に含まれている権限レベル内のキー入力でないと判別されたときには、現行ユーザ情報設定処理に移行させる手段を備えていることが好ましい。
上記電気機器は、現行ユーザ情報をデフォルトユーザ情報に設定させるための特定キー、および特定キー操作によるキー入力があったときには、現在の時刻が上記各分割時間帯のうちのいずれの分割時間帯に属するかを判別し、判別した分割時間帯に対応したデフォルトユーザ情報に現行ユーザ情報を設定する手段を備えていることが好ましい。
１日の時間帯が複数の時間帯に分けられており、記憶手段には、各分割時間帯毎に、その分割時間帯に応じて決定された権限レベルが設定されているデフォルトユーザ情報が登録されている場合において、上記電気機器は、現行ユーザ情報をデフォルトユーザ情報に設定させるための特定キー、特定キー操作によるキー入力があったときには、現在の時刻が上記各分割時間帯のうちのいずれの分割時間帯に属するかを判別し、判別した分割時間帯に対応したデフォルトユーザ情報に現行ユーザ情報を設定する手段、電気機器の本体操作部からキー入力があったときには、現行ユーザ情報に含まれている権限レベル内のキー入力であるか否かを判別する判別手段、判別手段によって、現行ユーザ情報に含まれている権限レベル内のキー入力であると判別されたときには、当該キー入力に応じた処理を実行させる手段、ならびに判別手段によって、現行ユーザ情報に含まれている権限レベル内のキー入力でないと判別されたときには、現行ユーザ情報設定処理に移行させる手段を備えていることが好ましい。
【図面の簡単な説明】  図１は、監視用の記録再生装置を含むネットワークシテスムの構成を示すブロック図である。
図２は、本体操作部１２上のキーが操作された場合の処理手順を示すフローチャートである。
図３は、キー入力が一定期間なかった場合に、現行ユーザ情報としてデフォルトユーザ情報を設定するための処理の手順を示すフローチャートである。
図４は、キー入力が一定期間なかった場合に、現行ユーザ情報としてデフォルトユーザ情報を設定するための処理の他の例の手順を示すフローチャートである。
【発明を実施するための最良の形態】  以下、図面を参照して、この発明を監視用の記録再生装置に適用した場合の実施例について説明する。
〔１〕第１実施例の説明
図１は、監視用の記録再生装置を含むネットワークシテスムの構成を示している。
このネットワークシステムは、記録再生装置１と、記録再生装置１にネットワーク３を介して接続された複数のＰＣ２ａ、２ｂ、２ｃ（総称するときにはＰＣ２と表記することにする）とを備えている。
記録再生装置１は、図示しない記録再生部と、入力画像を表示したり、再生画像を表示するためのモニタ１１と、本体操作部１２とを備えている。
ユーザは、本体操作部１２を用いて記録再生装置１を操作することも可能であるし、ＰＣ２ａ、２ｂ、２ｃを用いて記録再生装置１を遠隔操作することも可能である。
遠隔操作を行いうるユーザ、本体操作部の操作を行いうるユーザならびに遠隔操作および本体操作部の操作の両方を行いうるユーザを含む各ユーザと、本体側デフォルトユーザ（仮想的なユーザ）とのそれぞれユーザに対して、表１に示すように、ユーザ名、パスワードおよび権限レベルからなるユーザ情報が予め与えられている。各ユーザに対するユーザ情報は、記録再生装置１に登録されている。
【表１】
0004884215.tif 000002
なお、権限レベルとしては、レベル１〜４が用意されているものとする。レベル１〜４の権限内容は、以下の通りである。
レベル１（最上位）：記録操作，再生操作
レベル２          ：再生操作，モニタリング操作（入力画像を見るだけ）
レベル３          ：モニタリング操作（入力画像を見るだけ）
レベル４（最下位）：操作不可
表１において、”ＴＡＲＯ″から″ＹＯＳＨＩＲＯ″までは、各ユーザに与えられたユーザ名を表しており、”ＨＯＮＴＡＩ″は、本体側デフォルトユーザに与えられたユーザ名を表している。本体側デフォルトユーザは、本体操作部１２の操作を行う仮想的なユーザであり、その権限レベルはレベル４（最下位）に設定されている。
ユーザがＰＣ２ａ〜２ｃを用いて記録再生装置１を遠隔操作する際には、記録再生装置１はユーザにユーザ名とパスワードを入力させて、入力されたパスワードが正しいか否かを判別し、入力されたパスワードが正しい場合にのみ、当該ＰＣ２ａ〜２ｃと記録再生装置１とを遠隔操作を行える接続状態とし、その接続状態において、そのユーザに対して権限レベル内の操作を許可する。
ユーザが本体操作部１２を用いて記録再生装置１を操作する際には、記録再生装置１はユーザにユーザ名とパスワードを入力させて、入力されたパスワードが正しいか否かを判別し、入力されたパスワードが正しい場合にのみ、現行ユーザ情報を入力されたユーザ名に対応するユーザ情報に設定するといった現行ユーザ情報設定処理を行う。
なお、現行ユーザ情報とは、本体操作部１２を用いて現在操作を行なっていると想定されるユーザのユーザ情報をいうものとする。後述するように、本体操作部１２からのキー入力が一定期間無かった場合には、現行ユーザ情報は本体側デフォルトユーザのユーザ情報（ユーザ名：″ＨＯＮＴＡＩ″，パスワード：９９９，権限：４）に設定される。以下、本体側デフォルトユーザのユーザ情報を、デフォルトユーザ情報ということにする。
図２は、本体操作部１２上のキーが操作された場合の処理手順を示している。
本体操作部１２上のキーが操作されると、現行ユーザ情報として現在設定されているユーザ情報に含まれている権限レベル内のキー操作であるか否かが判別される（ステップＳ１）。
現行ユーザ情報に含まれている権限レベル内のキー操作である場合には、操作されたキーに対応する処理を実行する（ステップＳ２）。そして、今回の処理を終了する。
上記ステップＳ１において、現行ユーザ情報に含まれている権限レベル内のキー操作でないと判別した場合には、現行ユーザ情報の設定処理（変更処理）を行った後（ステップＳ３）、今回の処理を終了する。なお、ステップＳ１において、現行ユーザ情報としてデフォルトユーザ情報（ユーザ名：″ＨＯＮＴＡＩ″，パスワード：９９９，権限：４）が設定されている場合には、必ずステップＳ１でＮＯとなるため、現行ユーザ情報の設定処理に移行する（ステップＳ３）。
現行ユーザ情報の設定処理では、例えば、ユーザ名およびパスワードの入力画面が表示されるので、ユーザはユーザ名およびパスワードを入力する。記録再生装置１は、入力されたパスワードが正しいか否か（入力されたユーザ名に対応するパスワードと一致するか否か）を判別し、入力されたパスワードが正しい場合には、現行ユーザ情報として、入力されたユーザ名に対応するユーザ情報を設定する。入力されたパスワードが正しくない場合には、その旨を表示して、パスワードの再入力を促す。
図３は、キー入力が一定期間なかった場合に、現行ユーザ情報としてデフォルトユーザ情報を設定するための処理の手順を示している。
この処理は、１秒毎に開始される。まず、前回の１秒間にキー入力があったか否かを判別する（ステップＳ１１）。前回の１秒間にキー入力があった場合には、タイマｔをリセット（ｔ＝０）した後（ステップＳ１２）、ステップＳ１４に移行する。
上記ステップＳ１１において、前回の１秒間にキー入力がなかったと判別した場合には、タイマｔを１だけインクリメント（ｔ＝ｔ＋１）した後（ステップＳ１３）、ステップＳ１４に移行する。
ステップＳ１４では、タイマ値ｔが既定時間Ｔ未満であるか否かを判別する。タイマ値ｔが既定時間Ｔ未満である場合には、今回の処理を終了する。タイマ値ｔが既定時間Ｔ以上である場合には、現行ユーザ情報をデフォルトユーザ情報（ユーザ名：″ＨＯＮＴＡＩ″，パスワード：９９９，権限：４）に設定した後（ステップＳ１５）、今回の処理を終了する。
なお、キー入力が一定期間なかった場合に現行ユーザ情報としてデフォルトユーザ情報を設定することに代えて、またはキー入力が一定期間なかった場合に現行ユーザ情報としてデフォルトユーザ情報を設定することに加えて、現行ユーザ情報としてデフォルトユーザ情報を設定させるための特定キーを本体操作部１２に設けておき、特定キー操作によるキー入力があったときに、現行ユーザ情報をデフォルトユーザ情報に設定するようにしてもよい。
〔２〕第２実施例の説明
所定の時間帯においては、記録再生装置１側に、例えば、権限レベル２が与えられているオペレータが常駐するようになっている場合を想定する。このオペレータが常駐する時間帯において、本体操作部１２からのキー入力が一定期間無かった場合には、第１実施例では、現行ユーザ情報はデフォルトユーザ情報（ユーザ名：″ＨＯＮＴＡＩ″，パスワード：９９９，権限：４）に設定される。
そうすると、このオペレータが操作を行おうとすると、その都度、現行ユーザ情報設定処理を行う必要があり、不便である。そこで、第２実施例では、オペレータが常駐する時間帯において、本体操作部１２からのキー入力が一定期間無かった場合には、現行ユーザ情報として、オペレータに与えられている権限レベル（この例では”２”）と同じ権限レベルが与えられている第１の本体側デフォルトユーザのユーザ情報を設定する。一方、オペレータが常駐する時間帯以外の時間帯において、本体操作部１２からのキー入力が一定期間無かった場合には、現行ユーザ情報として、第１実施例のように権限レベル４が与えられている通常の本体側デフォルトユーザ（第２の本体側デフォルトユーザ）のユーザ情報を設定する。
具体的には、表２に示すように、デフォルトユーザ情報として、２種類のデフォルトユーザ情報が登録されている。一方のデフォルトユーザ情報（第１のデフォルトユーザ情報）は、ユーザ名”ＨＯＮＴＡＩ１″、パスワード”９０１”および権限レベル”２”のデータから構成され、他方のデフォルトユーザ情報（第２のデフォルトユーザ情報）は、ユーザ名”ＨＯＮＴＡＩ２″、パスワード”９０２”および権限レベル”４”のデータから構成されている。
【表２】
0004884215.tif 000003
この例では、記録再生装置１側に、権限レベル２が与えられているオペレータ（例えば、表１の″ＨＡＮＡＫＯ″）が、毎日、１０：００から１７：００までの時間帯において常駐するものとする。そして、記録再生装置１側には、第１のデフォルトユーザ情報（ユーザ名が”ＨＯＮＴＡＩ１″のユーザ情報）の有効時間帯として、開始時刻（１０：００）と終了時刻（１７：００）が登録されている。
本体操作部１２上のキーが操作された場合の処理手順は、第１実施例と同じ（図２参照）である。
図４は、キー入力が一定期間なかった場合に、現行ユーザ情報としてデフォルトユーザ情報を設定するための処理の手順を示している。
この処理は、１秒毎に開始される。まず、前回の１秒間にキー入力があったか否かを判別する（ステップＳ２１）。前回の１秒間にキー入力があった場合には、タイマｔをリセット（ｔ＝０）した後（ステップＳ２２）、ステップＳ２４に移行する。
上記ステップＳ２１において、前回の１秒間にキー入力がなかったと判別した場合には、タイマｔを１だけインクリメント（ｔ＝ｔ＋１）した後（ステップＳ２３）、ステップＳ２４に移行する。
ステップＳ２４では、タイマ値ｔが既定時間Ｔ未満であるか否かを判別する。タイマ値ｔが既定時間Ｔ未満である場合には、今回の処理を終了する。タイマ値ｔが既定時間Ｔ以上である場合には、現在時刻が第１のデフォルトユーザ情報（ユーザ名が”ＨＯＮＴＡＩ１″のユーザ情報）に対して設定されている有効時間帯（この例では、１０：００〜１７：００）に属するか否かを判別する（ステップＳ２５）。
現在時刻が第１のデフォルトユーザ情報（ユーザ名が”ＨＯＮＴＡＩ１″のユーザ情報）に対して設定されている有効時間帯に属する場合には、現行ユーザ情報を第１のデフォルトユーザ情報（ユーザ名が”ＨＯＮＴＡＩ１″のユーザ情報）に設定した後（ステップＳ２６）、今回の処理を終了する。現在時刻が第１のデフォルトユーザ情報（ユーザ名が”ＨＯＮＴＡＩ１″のユーザ情報）に対して設定されている有効時間帯に属さない場合には、現行ユーザ情報を第２のデフォルトユーザ情報（ユーザ名が”ＨＯＮＴＡＩ２″のユーザ情報）に設定した後（ステップＳ２７）、今回の処理を終了する。
なお、キー入力が一定期間なかった場合に現行ユーザ情報としてデフォルトユーザ情報を設定することに代えて、またはキー入力が一定期間なかった場合に現行ユーザ情報としてデフォルトユーザ情報を設定することに加えて、現行ユーザ情報としてデフォルトユーザ情報を設定させるための特定キーを本体操作部１２に設けておき、特定キー操作によるキー入力があったときに、現在時刻に応じて、現行ユーザ情報を第１のデフォルトユーザ情報（ユーザ名が”ＨＯＮＴＡＩ１″のユーザ情報）または第２のデフォルトユーザ情報（ユーザ名が”ＨＯＮＴＡＩ２″のユーザ情報）に設定するようにしてもよい。
【図１】
0004884215.tif 000004
【図２】
0004884215.tif 000005
【図３】
0004884215.tif 000006
【図４】
0004884215.tif 000007